(57)【要約】【課題】床ずれ防止装置を小型化、薄型化して、長期にわたる病人や寝たきり老人の背中部や腰部に容易に敷設できるようにすることにある。【解決手段】ベッドや布団に横臥する病人や寝たきり老人等の背中部や腰部に設置して病人等の床ずれを防止する病人等の床ずれ防止装置１であって、支持棒１０、１１を格子状や千鳥状等に一対の支持板８、９に突設して、隣り合う支持棒１０、１１を所定の時間間隔で交互に昇降駆動するようにしたものである。床ずれ防止装置１としては、５０〜１００ｃｍ平方、６〜１２ｃｍ高さのほぼ座布団状で、支持棒が１０〜２０ｍｍ径、５〜１０ｃｍの長さであり、その隣り合う支持棒を２０〜５０ｍｍの間隔で格子状や千鳥状等に５０〜１００ｃｍ平方の支持板にそれぞれ垂直状に配設し、上記支持板を数秒〜数分の間隔で交互に１０〜３０ｍｍ程昇降駆動するのが好ましい。【選択図】　　　　図１
2004024652.tif 000002
【特許請求の範囲】
【請求項１】
ベッドや布団に横臥する病人や寝たきり老人等の床ずれ防止装置を病人等の背中部や腰部に挿脱可能に形成し、
病人等の背中部や腰部を支持する支持棒を格子状や千鳥状等に床ずれ防止装置の支持板に配設して、隣り合う支持棒または隣り合う列や行の支持棒を所定の時間間隔で交互に昇降駆動するように形成したことを特徴とする病人等の床ずれ防止装置。
【請求項２】
床ずれ防止装置が５０〜１００ｃｍ平方、６〜１２ｃｍ高さのほぼ座布団状のもので、病人等の背中部や腰部に挿脱可能なものであり、
支持棒が１０〜２０ｍｍ径、５〜１０ｃｍの長さであって、その隣り合う支持棒を２０〜５０ｍｍの間隔で格子状や千鳥状等に５０〜１００ｃｍ平方の一対の支持板にそれぞれ垂直状に配設し、上記一対の支持板を数秒〜数分の間隔で交互に１０〜３０ｍｍ昇降駆動するようにした請求項１に記載の病人等の床ずれ防止装置。
【請求項３】
床ずれ防止装置の支持基板の４隅のコーナー側に上半部と下半部で反対向きのねじ部、たとえば上半部が左ねじ、下半部が右ねじ、または上半部が右ねじ、下半部が左ねじを設けた昇降駆動用ねじを回動自在にそれぞれ垂設し、
上記上半部のねじ部に１の支持板を水平状に螺着するとともに上記下半部のねじ部に他の支持板を水平状に螺着して、昇降駆動用ねじの回動駆動によって上記した一対の水平な支持板を昇降して隣り合う支持棒を交互に昇降して床ずれを防止するように形成した請求項１または２に記載の病人等の床ずれ防止装置。
【請求項４】
交互に昇降して病人等の背中部や腰部を支持する格子状や千鳥状に配設する支持棒の相互の間隔が３０〜４０ｍｍである請求項１ないし３のいずれかに記載の病人等の床ずれ防止装置。
【発明の詳細な説明】
【０００１】
【発明が属する技術分野】
本発明は、医療機器や健康器具分野における病人等の床ずれ防止装置に関するものである。
【０００２】
【従来の技術】
長期にわたる病人や寝たきり老人は、体が自由に動かせなかったり、寝返りが打てなかったりして、いわゆる床ずれに悩まされている。床ずれは、体の背中部や腰部等の特定部分が長時間圧迫されて血行不良となって生じる。
【０００３】
そのため、床ずれ防止のベッドが提案されている。たとえば、ベッドの床部に帯板床を列設してこの帯板床を互いに平行に保ちつつ順次昇降したり、ベッドの床部に方眼状に区分して昇降移動体を昇降可能に設置して、隣接する昇降移動体を交互に適宜の周期で昇降することが提案されている。
【０００４】
【発明が解決しようとする課題】
しかし、これらはベッドの床材や床部を昇降可能に形成するもので、ベッドに横臥する病人等の床ずれを防止できるものであるが、ベッドの下部に昇降駆動装置をベッドと一体的に設置して床材や昇降移動体を昇降駆動しているため、装置が大掛かりで、高価格であり、床ずれ防止を要望する患者等の背中部や腰部等に簡易設置して床ずれを防止できるようなものでなかった。このように小型で薄型の装置で、簡単に床ずれ防止をはかれるものが要望されるものであった。
【０００５】
【課題を解決するための手段】
本発明は、上記のような点に鑑みたもので、上記の課題を解決するために、ベッドや布団に横臥する病人や寝たきり老人等の床ずれ防止装置を病人等の背中部や腰部に挿脱可能に形成し、病人等の背中部や腰部を支持する支持棒を格子状や千鳥状等に床ずれ防止装置の支持板に配設して、隣り合う支持棒または隣り合う列や行の支持棒を所定の時間間隔で交互に昇降駆動するように形成したことを特徴とする病人等の床ずれ防止装置を提供するものである。
【０００６】
【発明の実施の形態】
本発明の病人等の床ずれ防止装置は、ベッドや布団に横臥する病人や寝たきり老人等の床ずれ防止装置を病人等の背中部や腰部に挿脱可能に形成し、病人等の背中部や腰部を支持する支持棒を格子状や千鳥状等に床ずれ防止装置の支持板に配設して、隣り合う支持棒または隣り合う列や行の支持棒を所定の時間間隔で交互に昇降駆動するように形成したことを特徴としている。
【０００７】
床ずれ防止装置１は、図１〜図４のように５０〜１００ｃｍ平方、６〜１２ｃｍ高さ位の小型で薄型のもので、支持基板２の４隅のコーナー側や周辺部に昇降駆動用ねじ３をそれぞれ回動駆動可能に垂直状に立設し、この昇降駆動用ねじ３の上半部と下半部に反対向きのねじ部４、５、たとえば上半部に左ねじのねじ部４を、下半部に右ねじのねじ部５をそれぞれ螺設（逆に上半部に右ねじ、下半部に左ねじも可）し、タイミングギヤー６、タイミングベルト７等を介して正逆方向に回転駆動するようにしている。
【０００８】
そして、図１、図４のように上記昇降駆動用ねじ３の上半部のねじ部４に１の上側支持板８を、下半部のねじ部５に他の下側支持板９を水平状にそれぞれ螺着し、昇降駆動用ねじ３の回動によって上記した上下一対の上側支持板８、下側支持板９を相互に反対向きに昇降駆動し、上側支持板８、下側支持板９にそれぞれ突設した支持棒１０、１１によって横臥する患者の背中部や腰部を支持して床ずれを防止できるようにしている。
【０００９】
支持棒１０、１１は、１０〜２０ｍｍ径位、５〜１０ｃｍ位の長さで、上記した上側支持板８、下側支持板９に図１〜図４のように２０〜５０ｍｍピッチの間隔で格子状や千鳥状等にそれぞれ配設していて、特に下側支持板９に突設する支持棒１１が上側支持板８に当接する部位は開孔して下側支持板９の支持棒１１が円滑に昇降できるようにしている。なお、上記上側支持板８の該当部位を行状または列状に開孔して支持棒１０、１１を昇降するようにもできる。
【００１０】
上記した上側支持板８の支持棒１０と下側支持板９の支持棒１１は、その上端面の高低差が１０〜２０ｍｍ位に相互に昇降して、背中部や腰部等にいわゆる無圧布団のように支持できるものであり、また交互に昇降して病人等の背中部や腰部を支持する格子状や千鳥状に配設する支持棒１０、１１の隣り合う相互の間隔を３０〜４０ｍｍ位とするのが望ましい。
【００１１】
このように構成した上側支持板９、下側支持板１０の昇降駆動としては、図３、図４のように上記した昇降駆動用ねじ３にタイミングギヤー６を設け、エンドレスのタイミングベルト７を懸架して床ずれ防止装置１の側部に配設するサーボモータ等の昇降用モータ１２のウオームねじ・ギヤー駆動機構１３等の駆動ギヤー１４に係合し、昇降用モータ１２をプログラム制御等によって数秒〜数分の時間間隔で正転、逆転駆動するようにし、上記した上側支持板８、下側支持板９を昇降駆動して、支持棒１０、１１によって無圧状に背中部や腰部等を支持して床ずれを防止するようにできるものである。
【００１２】
昇降駆動用ねじ３には、図４のように上側支持板８と下側支持板９をそれぞれ水平状に上下のねじ部４、５に螺着し、昇降駆動用ねじ３の回動駆動によって上側支持板８と下側支持板９とを交互に昇降するようにしたものである。この上側支持板８と下側支持板９との上下の位置制御は、たとえばリミットセンサーやエンコーダー等の位置検出器を配設して行なうことができるものである。
【００１３】
なお、図５、図６のように１の昇降駆動用ねじ３に左ねじと右ねじの両方を螺刻しなくて別々に螺刻して立設して上側支持板８と下側支持板９を螺着して昇降することもでき、その場合昇降駆動用ねじ３の長さをそれだけ短くできて、より薄型にすることもできる。
【００１４】
上記では、床ずれ防止装置の昇降駆動をタイミングギヤー、タイミングベルト、ウオームねじ・ギヤー機構としたが、サイレントチェーン・ホィール、ギヤートレーン、サーボモータ等の公知の駆動手段を組み合わせて行なうことができるものである。
【００１５】
なお、支持棒１０、１１としては、木、ゴム、プラスチック、アルミニウム合金等の金属材、ＦＲＰ材等が利用でき、図７のように上記したプラスチックや金属材、ＦＲＰ材で支持板８、９を射出成形や絞りプレス成形等で一体成形して突設することもでき、必要により縦横に補強部１５、１６を配設して強化することもでき、さらに図１の一点鎖線のようにマイナスイオン発生や遠赤外線放射等の粉粒物を付着したカバーシーツ１７を被覆して座布団状に形成するなど適宜に行なうことができる。
【００１６】
【実施例】
図１〜図４は、本発明の一実施例を示すものである。床ずれ防止装置１は、図１のように２．６ｍｍ厚さのアルミニウム軽合金シートの５０ｃｍ×５０ｃｍの大きさの支持基板２に、ほぼ同様の大きさの上側支持板８、下側支持板９を上下一対に配設している。そして、図１〜図４のように上側支持板８に５ｃｍの間隔で１６ｍｍ径、５０ｍｍ長さの丸木材の支持棒１０を格子状に垂直に突設し、下側支持板９に同じく５ｃｍ間隔で１６ｍｍ径、８０ｍｍ長さの丸木材の支持棒１１を格子状に垂直に突設し、上側支持板８の支持棒１０間に所要径の開孔を格子状に設けてこの開孔に下側支持板９の支持棒１１を昇降自在に挿入して上方へ突き出している。
【００１７】
そしてまた、図１、図３、図４のように支持基板２の４隅のコーナー側に、上半部と下半部にそれぞれ左ねじ、右ねじの反対向きのねじ部４、５をそれぞれ螺刻して中央部にタイミングギヤー６を取着した昇降駆動用ねじ３をそれぞれ回動自在に垂設し、この昇降駆動用ねじ３の上半部のねじ部４に上側支持板８の４隅のコーナー側を上側支持板８が水平状となるように螺合し、下半部のねじ部５に下側支持板９の４隅のコーナー側を下側支持板９が水平状となるように螺合し、これらの支持棒１０、１１のやや丸くした上端部が交互に１０〜２０ｍｍ程突き出るように昇降して支持できるようにしている。
【００１８】
そして、上記した昇降駆動用ねじ３のタイミングギヤー６にタイミングベルト７を懸架して昇降用モータ１２の駆動用ギヤー１４に懸架し、数秒〜数分の時間間隔、たとえば５秒〜１０分、好ましくは３０秒〜３分の時間間隔で昇降用モータ１２を正転、逆転駆動して昇降駆動用ねじ３を回動し、上側支持板８と下側支持板９をそれぞれ２０〜３０ｍｍ程昇降駆動して支持棒１０、１１を上記した数秒〜数分の時間間隔で昇降するようにしている。
【００１９】
このように床ずれ防止装置１は、小型で薄型であるため、病院や介護施設でのベッドや家庭のベッド、布団の上に搭載したりして患者の背中部や腰部に敷設し、支持棒１０、１１を交互に昇降して床ずれ防止することができる。
【００２０】
また、支持棒１０、１１は、昇降してそれらの支持間隔を交互に３０〜４０ｍｍとして背中部や腰部を支持でき、あたかも無圧布団のように支持できるものである。
【００２１】
なお、この床ずれ防止装置１に図１のように電気石やセラミックス等のマイナスイオン発生の微粉末を付着したカバーシーツ１７を座布団状に被覆することによって、患者に床ずれ防止とともに、マイナスイオン等による血行を促進できて背中痛や腰痛を改善するようにできる。
【００２２】
図５、図６は、本発明の他の実施例のもので、昇降駆動用ねじ３を上側支持板８用と下側支持板９用に別々に立設して螺合し、上記と同じように上側支持板８、下側支持板９を交互に昇降駆動して上記のように支持棒１０、１１で交互に昇降して支持できるようにしたものである。
【００２３】
本実施例では、図６のように前実施例に比べて昇降駆動用ねじ３の右ねじまたは左ねじの一方のほぼねじ部分だけ背低くでき、より薄状にできる。
【００２４】
以上では、床ずれ防止装置を５０×５０ｃｍの正方形状について説明したが、３０×３０ｃｍや３０×６０ｃｍ、５０×１００ｃｍなどのように要望に応じて適宜の大きさにでき、病人等の背中部や腰部に好みに合わせて広く適用でき、また上記した本発明の趣旨にもとづいてその他の変更実施態様を実施するこができる。
【００２５】
【発明の効果】
以上のように本発明にあっては、従来のようにベッドに固定されずに小型で薄型であるため、病院や介護施設でのベッドや家庭のベッド、布団の上に簡単に搭載して横臥する病人や寝たきり老人等の患者の背中部や腰部に敷設して床ずれ防止するようにできる。
【００２６】
そして、病人等の背中部や腰部を支持する支持棒を格子状や千鳥状等に支持板に配設して、隣り合う支持棒または隣り合う列や行の支持棒を所定の時間間隔で交互に昇降駆動するように形成したので、支持棒を交互に昇降できて背中部や腰部を支持して、床ずれ防止することができるものである。
【００２７】
特に、床ずれ防止用の支持基板の４隅のコーナー側に上半部と下半部で反対向きのねじ部を設けた昇降駆動用ねじを回動自在にそれぞれ垂設し、上半部のねじ部に１の支持板を水平状に螺着するとともに上記下半部のねじ部に他の支持板を水平状に螺着して、昇降駆動用ねじの回動駆動によって一対の水平な支持板を昇降して、隣り合う支持棒を交互に昇降して床ずれを防止するように形成することによって、装置をできるだけ薄型状にできて、上記のように床ずれを防止できる。
【００２８】
また、交互に昇降して病人等の背中部や腰部を支持する格子状や千鳥状に配設する支持棒の相互の間隔が３０〜４０ｍｍとすることによって、あたかも無圧布団のように支持できて床ずれを防止できるものである。
【図面の簡単な説明】
【図１】本発明の一実施例の一部省略した説明用側断面図、
【図２】同上の平面図、
【図３】同上の一部省略した昇降駆動説明用の平面図、
【図４】同上の昇降駆動部の拡大断面図、
【図５】同上の他の実施例の一部省略した昇降駆動説明用の平面図、
【図６】同上の昇降駆動部の拡大断面図、
【図７】同上の他の実施例の支持棒、支持板部の一部拡大断面図。
【符号の説明】
１…床ずれ防止装置　　　　２…支持基板　　　　３…昇降駆動用ねじ
４、５…ねじ部　　　　　　６…タイミングギヤー
７…タイミングベルト　　　８…上側支持板　　　９…下側支持板
１０、１１…支持棒
【図１】
2004024652.tif 000003
【図２】
2004024652.tif 000004
【図３】
2004024652.tif 000005
【図４】
2004024652.tif 000006
【図５】
2004024652.tif 000007
【図６】
2004024652.tif 000008
【図７】
2004024652.tif 000009